(57)【要約】【課題】  ロック部とスイッチ部とが一体に形成され、スイッチ部の移動方向がロック部のフック部に対する進退方向と平行となることを防止できるロック装置の提供。【解決手段】  フック部２０に対してＡ方向に進退可能に弾性変形するロック部１１と、Ａ方向と異なるＢ方向に移動したときにロック部１１をフック部２０から離れる方向に押す押し部１２ａを備えたスイッチ部１２と、スイッチ部１２に一体につながりスイッチ部１２を支持し自身が弾性変形することでスイッチ部１２を変位させるサポート部１３とを、有し、ロック部１１の一部とサポート部１３の一部とは樹脂製ベース３０に一体につながっている、ロック装置１０。【選択図】        図１
2005059686.tif 000002
【特許請求の範囲】
【請求項１】
フック部に対して進退可能に弾性変形するロック部と、
前記ロック部が前記フック部に対して進退する方向と異なる方向に移動可能であり該方向に移動したときに前記ロック部を前記フック部から離反する方向に押す押し部を備えたスイッチ部と、
前記スイッチ部に一体につながり該スイッチ部を支持し、自身が弾性変形することで前記スイッチ部を変位させるサポート部と、
を有し、
前記ロック部の一部と前記サポート部の一部とは樹脂製ベースに一体につながっている、
ロック装置。
【請求項２】
前記押し部は、前記ロック部が前記フック部に対して離反する方向にいくに従って前記ロック部から離れる方向に傾斜する傾斜面を有している、請求項１記載のロック装置。
【請求項３】
前記スイッチ部は、さらに、前記押し部に連なり前記ロック部が前記フック部から離反する方向に変形したときに前記ロック部が当るストッパ部を備えている、請求項１記載のロック装置。
【発明の詳細な説明】
【技術分野】
【０００１】
本発明は、ロック装置に関する。
【背景技術】
【０００２】
従来のロック装置は、実開昭６２−１９００６４号公報に開示されている。公報に開示されたロック装置は、図５に示すように、ロック時にフック部２ａが引っ掛かるロック部１ａと、ロック部１ａとの引っ掛かりを外す方向にフック部２ａを移動させるスイッチ部１ｂとを、有する。ロック部１ａとスイッチ部１ｂとは、別体に形成されている。ロック部１ａとスイッチ部１ｂとが別体に形成されているので、フック部２ａがロック部１ａに引っ掛かる方向にスイッチ部１ｂを回動付勢する付勢バネ等が必要であり、部品点数が多くコストがかかる。
【０００３】
ロック部とスイッチ部とを一体に形成してコスト低減を図ったものとして、図６に示すロック装置がある。図６に示すロック装置１は、フック部２ｂに対して進退可能に弾性変形するロック部１ｃと、ロック部１ｃがフック部２ｂに対して進退する方向と平行な方向に移動可能なスイッチ部１ｄとを、有する。ロック部１ｃがフック部２ｂに対して進退する方向は、蓋３の意匠面３ａの面内方向と平行またはほぼ平行である。
【０００４】
しかし、図６に示すロック装置１には、つぎの解決すべき問題がある。
【０００５】
スイッチ部１ｄの移動方向がロック部１ｃのフック部２ｂに対する進退方向と平行であり、ロック部１ｃのフック部２ｂに対する進退方向が蓋３の意匠面３ａの面内方向と平行またはほぼ平行であるため、スイッチ部１ｄの操作が困難である。
【０００６】
また、スイッチ部１ｄの移動方向が蓋３の意匠面３ａの面内方向と平行またはほぼ平行であるため、蓋３が開くとき蓋３がスイッチ部１ｄを操作した指に当たる。
また、ロック装置１が車両用蓋付き小物入れ装置に用いられている場合、スイッチ部１ｄが、蓋３を閉じた時に蓋３の意匠面３ａよりも車室内に突出する。スイッチ部１ｄが蓋３の意匠面３ａよりも車室内に突出することを防止するために、図７に示すように、スイッチ部１ｄの周囲に凹みを設けてスイッチ部１ｄを操作するための操作スペースＳを設けることが考えられるが、操作スペースＳを設けると操作スペースＳを設けた分だけ小物入れ装置の小物入れスペースが減る。
【特許文献１】実開昭６２−１９００６４号公報
【発明の開示】
【発明が解決しようとする課題】
【０００７】
本発明が解決しようとする第１の問題点は、部品点数が多くコストがかかることである。
本発明が解決しようとする第２の問題点は、スイッチ部とロックとが一体に形成される場合に、スイッチ部の移動方向が、ロック部がフック部に対して進退する方向と平行であることである。
本発明の第１の目的は、ロック部とスイッチ部とが別体に形成される場合に比べて部品点数を削減できることである。
本発明の第２の目的は、ロック部とスイッチ部とが一体に形成される場合でも、スイッチ部の移動方向がロック部のフック部に対する進退方向と平行となることを防止できるロック装置を提供することにある。
【課題を解決するための手段】
【０００８】
上記目的を達成する本発明はつぎの通りである。
（１）フック部に対して進退可能に弾性変形するロック部と、
前記ロック部が前記フック部に対して進退する方向と異なる方向に移動可能であり該方向に移動したときに前記ロック部を前記フック部から離反する方向に押す押し部を備えたスイッチ部と、
前記スイッチ部に一体につながり該スイッチ部を支持し、自身が弾性変形することで前記スイッチ部を変位させるサポート部と、
を有し、
前記ロック部の一部と前記サポート部の一部とは樹脂製ベースに一体につながっている、
ロック装置。
（２）前記押し部は、前記ロック部が前記フック部に対して離反する方向にいくに従って前記ロック部から離れる方向に傾斜する傾斜面を有している、（１）記載のロック装置。
（３）前記スイッチ部は、さらに、前記押し部に連なり前記ロック部が前記フック部から離反する方向に変形したときに前記ロック部が当るストッパ部を備えている、（１）記載のロック装置。
【発明の効果】
【０００９】
上記（１）〜（３）のロック装置では、サポート部がスイッチ部に一体につながり、ロック部の一部とサポート部の一部とが樹脂製ベースに一体につながっているので、ロック部とスイッチ部とが樹脂製ベースで一体につながっている。そのため、ロック部とスイッチ部とが別体に形成される場合に比べて、フック部がロック部に引っ掛かる方向にスイッチ部を回動付勢するバネ等の部材は不要であり、部品点数を削減できる。
また、ロック部とスイッチ部とが樹脂製ベースに一体につながり、スイッチ部がロック部のフック部に対する進退方向と異なる方向に移動可能であるので、ロック部とスイッチ部とが一体につながる場合でも、スイッチ部の移動方向がロック部のフック部に対する進退方向と平行となることを防止できる。
上記（３）のロック装置では、スイッチ部がストッパ部を備えているので、ロック部がスイッチ部（樹脂製ベース）に対してフック部から離反する方向に過度に変形することを防止できる。
【実施例】
【００１０】
本発明実施例のロック装置を、図１〜図４を参照して説明する。
本発明実施例のロック装置１０は、図４に示すように、たとえば車両用蓋付き小物入れ４０に設けられる。ただし、ロック装置１０は、車両用蓋付き小物入れ４０以外に設けられていてもよい。以下本発明実施例では、ロック装置１０が車両用蓋付き小物入れ４０に設けられる場合を例にとって説明する。
【００１１】
車両用蓋付き小物入れ４０は、小物入れケース４１と、小物入れケース４１に回動可能に支持され閉時に表面４２ａが周囲の小物入れケース４１の一般面４１ａと面一またはほぼ面一にされた蓋４２と、蓋４２を小物入れケース４１に対して開方向に回動付勢する付勢バネ４３を、有する。
【００１２】
ロック装置１０は、蓋４２を付勢バネ４３の付勢力に抗して閉位置に保持する。ロック装置１０は、図１に示すように、フック部２０に対して進退可能に弾性変形するロック部１１と、ロック部１１がフック部２０に対して進退する方向Ａと異なる方向Ｂに移動可能であり、Ｂ方向に移動したときにロック部１１をフック部２０から離反する方向に押す押し部１２ａ（図３参照）を備えたスイッチ部１２と、スイッチ部１２に一体につながりスイッチ部１２を支持し、自身が弾性変形することでスイッチ部１２をＢ方向に変位させるサポート部１３とを、有する。
【００１３】
Ｂ方向は、Ａ方向と直交（ほぼ直交を含む）する方向であってもよく、Ａ方向と直交する方向以外であってもよい（図示例では、Ｂ方向がＡ方向と直交する方向である場合を示している）。以下、本発明実施例では、Ｂ方向がＡ方向と直交する場合を例にとって説明する。
ロック部１１は、Ｂ方向と平行な方向に延びている。ロック部１１の延び方向一端部１１ａは、図３に示すように、樹脂製ベース３０に一体につながっている。ここで樹脂製ベース３０は、小物入れケース４１に一体に形成されていてもよく、小物入れケース４１と別体に形成されて小物入れケース４１に固定して取り付けられていてもよい。ロック部１１の延び方向他端部は、ロック部１１自身が樹脂製ベース３０に対して弾性変形することで、フック部２０に対してＡ方向に進退可能とされている。ロック部１１の延び方向他端部には、図１に示すように、ロック部１１の延び方向他端部からＢ方向およびＡ方向と直交する方向に折れ曲がりＢ方向およびＡ方向と直交する方向に所定距離延びる、折れ曲がり部１１ｂが設けられている。ロック部１１は、折れ曲がり部１１ｂで、フック部２０に引っ掛かり可能とされている。
【００１４】
スイッチ部１２の押し部１２ａは、図３に示すように、ロック部１１のＢ方向の外側に位置する。押し部１２ａは、ロック部１１がフック部２０からＡ方向に離反する方向にいくに従ってロック部１１からＢ方向に離れる方向に傾斜する、傾斜面１２ｂを有している。傾斜面１２ｂは、スイッチ部１２をＢ方向にロック部１１に接近する方向に移動させたとき、ロック部１１と摺接する。
【００１５】
スイッチ部１２は、ストッパ部１２ｃをも、備えている。ストッパ部１２ｃは、押し部１２ａの、フック部２０からＡ方向に最も離れた部位に連なっている。ストッパ部１２ｃは、ストッパ面１２ｄを有する。ストッパ面１２ｄは、傾斜面１２ｂの、フック部２０からＡ方向に最も離れた部位に連なっている。ストッパ面１２ｄの面内方向は、Ａ方向と直交またはほぼ直交する。
サポート部１３の形状は、図１に示すように、スイッチ部１２からＢ方向に延び、延び方向先端部でＡ方向にフック部２０から離反する方向に折れ曲がりＡ方向にフック部２０から離反する方向に延びる、Ｌ字状である。サポート部１３の端部のうち、スイッチ部１２と一体につながる側の端部１３ａと反対側の端部１３ｂは、樹脂製ベース３０に一体につながっている。サポート部１３は、端部１３ｂでのみ樹脂製ベース３０につながっている。サポート部１３の形状がＬ字状であり、端部１３ｂでのみ樹脂製ベース３０につながっているので、サポート部１３は樹脂製ベース３０に対してＢ方向に弾性変形可能である。サポート部１３が樹脂製ベース３０に対してＢ方向に弾性変形可能であるので、サポート部１３がＢ方向に弾性変形することでスイッチ部１２を樹脂製ベース３０に対してＢ方向に変位させることができる。
【００１６】
フック部２０は、図４に示すように、蓋４２の裏面４２ｂに、裏面４２ｂから裏面４２ｂの面直方向に突出して設けられている。フック部２０は、たとえば樹脂製である。フック部２０は、蓋４２に一体に設けられていてもよく、蓋４２と別体に形成されて蓋４２に固定して取り付けられていてもよい。フック部２０の突出方向途中位置には、Ａ方向長さが異なる段部２１が設けられている。図２に示すように、蓋４２が閉位置に位置し段部２１がロック部１１の折れ曲がり部１１ｂに引っ掛かっているとき、蓋４２は付勢バネ４３の付勢力に抗して閉位置に保持される。フック部２０の突出方向先端面２２は、蓋４２が閉位置に位置するときにスイッチ部１２の傾斜面１２ｂと同方向に傾斜する傾斜面になっている。フック部２０の突出方向先端面２２が傾斜面になっているので、開位置にある蓋４２をケース４１に対して閉位置に移動させるとき、突出方向先端面２２とロック部１１の折れ曲がり部１１ｂとが摺接し、フック部２０でロック部１１を樹脂製ベース３０に対してＡ方向にフック部２０から離反する方向に弾性変形させることができる。
【００１７】
本発明実施例の作動を説明する。
（ａ）蓋４２が開位置にあるとき、フック部２０はロック部１１に引っ掛かっていない。ロック部１１の折れ曲がり部１１ｂは、スイッチ部１２の押し部１２ａの傾斜面１２ｂに、接触していてもよく接触していなくてもよい。
（ｂ）開位置にある蓋４２をケース４１に対して閉方向に付勢バネ４３の付勢力に抗して移動させ蓋４２が閉位置直前まできたとき、フック部２０の突出方向先端面２２がロック部１１の折れ曲がり部１１ｂに当る。さらに蓋４２を閉方向に移動させると、フック部２０の突出方向先端面２２が、ロック部１１を樹脂製ベース３０に対してＡ方向にフック部２０から離れる方向に弾性変形させる（押し退ける）。
（ｃ）蓋４２が閉位置に達したとき、ロック部１１は樹脂製ベース３０に対してＡ方向にフック部２０に接近する方向に復元し、図１、図２に示すように、ロック部１１の折れ曲がり部１１ｂがフック部２０の段部２１に引っ掛かる。このとき、ロック部１１はフック部２０をロックしており、蓋４２はケース４１に対して閉位置に保持される。
（ｄ）ロック部１１がフック部２０に引っ掛かっているときに（ロック時に）、スイッチ部１２を樹脂製ベース３０に対してＢ方向にロック部１１に接近する方向に操作すると（押すと）、図３に示すように、スイッチ部１２の押し部１２ａの傾斜面１２ｂが、ロック部１１を樹脂製ベース３０に対してＡ方向にフック部２０から離れる方向に弾性変形させる（押し退ける）。
スイッチ部１２を強い力で押したとき、ロック部１１は押し部１２ａによってＡ方向に押し退けられストッパ部１２ｃのストッパ面１２ｄに当接する。ロック部１１がストッパ面１２ｄに当接したとき、ロック部１１はスイッチ部１２（樹脂製ベース３０）に対してそれ以上Ａ方向にフック部２０から離れる方向に移動する（変形する）ことはない。
（ｅ）スイッチ１２を操作してロック部１１をフック部２０から離れる方向に押し退けたとき、フック部２０のロックが解除される。フック部２０のロックが解除されると、蓋４２が付勢バネ４３の付勢力によりケース４１に対して開動する。
【００１８】
本発明実施例の作用、効果を説明する。
サポート部１３が端部１３ａでスイッチ部１２に一体につながり、ロック部１１の延び方向一端部１１ａとサポート部１３の端部１３ｂとが樹脂製ベース３０に一体につながっているので、ロック部１１とスイッチ部１２とが樹脂製ベース３０で一体につながっている。そのため、ロック部１１とスイッチ部１２とが別体に形成される場合に比べて、スイッチ部を回動付勢するバネ等の部材は不要であり、部品点数を削減できる。
【００１９】
また、ロック部１１とスイッチ部１２とが樹脂製ベース３０で一体につながっており、スイッチ部１２の操作方向がＡ方向と直交するＢ方向であるので、スイッチ部の操作方向とロック部の移動方向が平行である場合に比べて、スイッチ部１２を容易に操作できる。また、スイッチ部１２の操作方向がＡ方向と直交するＢ方向であるので、スイッチ部１２を押した指に蓋４２が当ることを防止できる。
【００２０】
スイッチ部１２がストッパ部１２ｃを備えているので、スイッチ部１２を操作してロック部１１がＡ方向にフック部２０から離れる方向に移動したときに、ストッパ部１２ｃのストッパ面１２ｄがロック部１１と当接しそれ以上にロック部１１がＡ方向にフック部２０から離れる方向にスイッチ部１２に対して（樹脂製ベース３０に対して）変形することを防止できる。したがって、スイッチ部１２を操作してロック部１１がＡ方向に変形するときに、スイッチ部１２の過荷重を一定のストロークで止めることができる。
【００２１】
樹脂製ベース３０が小物入れケース４１に一体に形成されており、フック部２０が蓋４２に一体に形成されている場合、ロック装置１０のためだけの部品は不要であり、蓋付き小物入れ４０を小物入れケース４１と蓋４２と付勢バネ４３の３部品のみで構成できる。
【図面の簡単な説明】
【００２２】
【図１】本発明実施例のロック装置の、フック部がロック部に引っ掛かっている場合の斜視図である。
【図２】本発明実施例のロック装置の、フック部がロック部に引っ掛かっている場合の、フック部部位での断面図である。
【図３】本発明実施例のロック装置の、ロック部部位での断面図である。
【図４】本発明実施例のロック装置が車両用蓋付き小物入れに設けられた場合の、車両用蓋付き小物入れの斜視図である。
【図５】実開昭６２−１９００６４号公報に開示されたロック装置とその近傍を示す断面図である。
【図６】従来の、ロック部とスイッチ部とを一体に形成した場合のロック装置が、車両用蓋付き小物入れに設けられた場合の、車両用蓋付き小物入れの断面図である。
【図７】図６の車両用蓋付き小物入れの、スイッチ部の周囲に操作スペースを設けた場合の、断面図である。
【符号の説明】
【００２３】
１０  ロック装置
１１  ロック部
１２  スイッチ部
１２ａ  押し部
１２ｂ  押し部の傾斜面
１２ｃ  ストッパ部
１２ｄ  ストッパ面
１３  サポート部
２０  フック部
３０  樹脂製ベース
４０  車両用蓋付き小物入れ
４１  小物入れケース
４２  蓋
４３  付勢バネ
【図１】
2005059686.tif 000003
【図２】
2005059686.tif 000004
【図３】
2005059686.tif 000005
【図４】
2005059686.tif 000006
【図５】
2005059686.tif 000007
【図６】
2005059686.tif 000008
【図７】
2005059686.tif 000009